(57)【要約】【課題】習熟度が異なる調理人に対して分かり易く注文品目の調理法を表示することを可能とする。【解決手段】ウエアラブル調理補助端末１は、客からの注文情報に含まれる注文品目の調理法をヘッドマウントディスプレイ１０に表示する。ウエアラブル調理補助端末１は、表示された調理法の中でリンク付けされた調理情報の選択指示を受け付ける。制御部１２１は、選択指示があった場合に、その選択指示があった調理情報をヘッドマウントディスプレイ１０に表示させる。【選択図】図１
2011081737.tif 000002
【特許請求の範囲】
【請求項１】
客からの注文情報に含まれる注文品目の調理法を表示する表示手段と、
前記表示された調理法の中でリンク付けされた調理情報の選択指示を受け付ける受付手段と、
前記選択指示があった場合に、当該選択指示があった調理情報を記憶手段から読み出して前記表示手段に表示させる表示制御手段と、
を備えることを特徴とする調理補助端末。
【請求項２】
前記表示制御手段は、前記リンク付けされた調理情報のリンク先として設定されたファイルデータを前記記憶手段から読み出し、当該読み出したファイルデータに含まれる動画像、静止画像及びテキストの少なくとも１つで示される調理情報を前記表示手段に表示させることを特徴とする請求項１に記載の調理補助端末。
【請求項３】
使用者の音声を集音する集音手段と、
前記集音された音声に基づいて前記使用者からの音声コマンドを認識する音声認識手段と、を更に備え、
前記受付手段は、前記認識された音声コマンドが、前記表示された調理法のテキストに含まれる、調理情報とリンク付けされた語句である場合に、当該調理情報の選択指示を受け付けることを特徴とする請求項１又は２に記載の調理補助端末。
【請求項４】
使用者の視線位置を検出する視線検出手段を更に備え、
前記受付手段は、前記検出された視線位置が、前記表示された調理法のテキストに含まれる、調理情報とリンク付けされた語句の表示位置である場合に、当該調理情報の選択指示を受け付けることを特徴とする請求項１又は２に記載の調理補助端末。
【請求項５】
前記表示手段は、モニタ表示部を有するヘッドマウントディスプレイであることを特徴とする請求項１〜４のいずれか一項に記載の調理補助端末。
【請求項６】
調理補助端末のコンピュータに、
客からの注文情報に含まれる注文品目の調理法を表示手段に表示するステップと、
前記表示された調理法の中でリンク付けされた調理情報の選択指示を受け付けるステップと、
前記選択指示があった場合に、当該選択指示があった調理情報を記憶手段から読み出して前記表示手段に表示させるステップと、
を実行させるためのプログラム。
【発明の詳細な説明】
【技術分野】
【０００１】
本発明は、調理補助端末及びプログラムに関する。
【背景技術】
【０００２】
従来から客から注文を受けた注文品目の調理法（レシピ）を出力する調理補助端末が知られている。この調理補助端末を使用する調理人は、出力された調理法を確認することで、注文品目の調理を行うことが可能となる。この注文を受けた注文品目の調理法を出力する従来技術としては、特許文献１がある。特許文献１には、客からの注文情報を受信して、調理指示情報及び料理提供指示情報を印刷する注文管理システムが開示されている。
【発明の概要】
【発明が解決しようとする課題】
【０００３】
しかしながら、上記従来技術では、注文を受けた注文品目について一律に同じ調理法のみが出力されるため、習熟度の低い調理人などがより詳細な手順を確認することができなかった。例えば、ベテランの調理人は注文を受けた注文品目の調理法を確認するだけでよいとしても、習熟度の低い調理人などは、一部の調理法についてより詳細な手順を確認したい場合がある。注文を受けた注文品目について一律に同じ調理法のみが出力されると、このような調理人の習熟度に対応することができず、習熟度が異なる調理人に対して分かり易く注文品目の調理法を表示することができない。
【０００４】
本発明は、上記に鑑みてなされたものであって、習熟度が異なる調理人に対して分かり易く注文品目の調理法を表示することを可能とする調理補助端末及びプログラムを提供することを目的とする。
【課題を解決するための手段】
【０００５】
上述した課題を解決し、目的を達成するために、本発明の調理補助端末は、客からの注文情報に含まれる注文品目の調理法を表示する表示手段と、前記表示された調理法の中でリンク付けされた調理情報の選択指示を受け付ける受付手段と、前記選択指示があった場合に、当該選択指示があった調理情報を記憶手段から読み出して前記表示手段に表示させる表示制御手段と、を備えることを特徴とする。
【０００６】
また、本発明は、調理補助端末のコンピュータに、客からの注文情報に含まれる注文品目の調理法を表示手段に表示するステップと、前記表示された調理法の中でリンク付けされた調理情報の選択指示を受け付けるステップと、前記選択指示があった場合に、当該選択指示があった調理情報を記憶手段から読み出して前記表示手段に表示させるステップと、を実行させるためのプログラムである。
【発明の効果】
【０００７】
本発明は、習熟度が異なる調理人に対して分かり易く注文品目の調理法を表示することを可能とする、という効果を奏する。
【図面の簡単な説明】
【０００８】
【図１】図１は、本実施形態にかかる注文システムの一例を示す図である。
【図２】図２は、本実施形態にかかるヘッドマウントディスプレイの一例を示す図である。
【図３】図３は、本実施形態にかかる注文システムの動作の一例を示すラダーチャートである。
【図４】図４は、モニタ表示部の表示例を示す図である。
【図５】図５は、モニタ表示部の表示例を示す図である。
【図６】図６は、モニタ表示部の表示例を示す図である。
【図７】図７は、モニタ表示部の表示例を示す図である。
【図８】図８は、本実施形態にかかるウエアラブル調理補助端末の処理を示すフローチャートである。
【発明を実施するための形態】
【０００９】
以下に添付図面を参照して、この発明にかかるウエアラブル調理補助端末及びプログラムの最良な実施の形態を詳細に説明する。本実施形態では、レストランなどの注文システムにおいて、調理人が使用するユーザインタフェースにウエアラブル調理補助端末を適用する場合について例示する。
【００１０】
図１は、本実施形態にかかる注文システムの一例を示す図である。図１に示すように、注文システムは、調理人である装着者２が装着して使用するユーザインタフェースであるウエアラブル調理補助端末１、注文端末３５からの注文を管理する注文管理サーバ３０、各種帳票（例えば注文伝票）などを印刷するためのプリンタ３１を制御するプリンタサーバ３２、ウエアラブル調理補助端末１とデータの送受信を行うための送受信装置３４、ウエイターやウエイトレスなどの店員が客から注文を受け付ける際に使用するための注文端末３５を備え、それらがネットワークＮＴを介して接続されている。ネットワークＮＴは、ＬＡＮ（Local Area Network）、イントラネット、イーサネット（登録商標）などである。
【００１１】
送受信装置３４とウエアラブル調理補助端末１との間のデータの送受信は、電波、光、赤外線、超音波などであってよく、本実施形態では通信範囲が数ｍ程度である近接無線通信（例えばＢｌｕｅｔｏｏｔｈ（登録商標）など）を用いて行うものとする。なお、送受信装置３４は、店舗内の全ての領域（例えば、精算カウンター近傍、客卓が設けられたフロア、バックヤード等）をカバーするように複数設けられている。なお、送受信装置３４は注文端末３５ともデータの送受信を行ってよく、注文端末３５は有線でネットワークＮＴと接続する必要はない。
【００１２】
注文管理サーバ３０は、店員が注文端末３５に入力した料理の注文を管理する。具体的には、注文管理サーバ３０は、注文端末３５から通知された注文情報にユニークな注文番号を割り当てて内部のストレージ等に記憶し、注文情報を登録する。注文情報には、注文を受けた客卓、客数、注文品目、その注文数などが含まれる。注文管理サーバ３０に登録された注文情報は、注文番号とともにプリンタ３１より注文伝票として印刷される。この注文伝票は、ＰＯＳ端末３３での精算時に使用するものとして、例えば料理提供後の客に渡されるものである。また、注文管理サーバ３０は、登録された注文情報のウエアラブル調理補助端末１への通知や、各種情報の注文端末３５への配信などを行う。
【００１３】
ＰＯＳ端末３３は、ドロア、キー入力部、スキャナ、カードリーダ、ディスプレイ、レシート／ジャーナル用プリンタなどを備え（いずれも図示しない）、現金やクレジットカードを用いて商取引を行うもので、例えば精算カウンター等に設けられる。例えば、ＰＯＳ端末３３は、キー入力やスキャナ読み取りなどにより、注文伝票に印刷された注文番号を受け付け、その注文番号に対応する注文情報を注文管理サーバ３０から取得する。ＰＯＳ端末３３は、料理品目（メニュー）ごとの識別コードや価格がプリセットされたマスタファイルを、内部ＲＯＭ（Read Only Memory）やデータサーバ（特に図示しない）から読み出し、取得した注文情報にかかる注文の精算を行う。
【００１４】
注文端末３５は、店員が使用するための情報端末である。注文端末３５は、ＬＣＤ（Liquid Crystal Display）等のディスプレイ、操作入力を受け付けるためのタッチパネル等の操作入力部などを備える。注文端末３５は、操作入力部による客からの注文受付や、注文管理サーバ３０から配信された情報のディスプレイへの表示を行う。
【００１５】
ウエアラブル調理補助端末１は、装着者２（調理人）が装着して使用する情報端末であり、ヘッドマウントディスプレイ１０と、撮像装置としてのデジタルカメラ１１と、インタフェースボックス１２と、マイク１５とを備える。図２に示すように、ヘッドマウントディスプレイ１０は、モニタ表示部１７を備えた光透過性部材１６を保持するためのフレーム１３と、このフレーム１３を装着者２の左目前に配置するためのヘッドホン型の装着用アーム１４とを備える。すなわち、ヘッドマウントディスプレイ１０は、装着用アーム１４によって装着者２の頭部２ａに装着可能であり、装着した状態ではフレーム１３が装着者２の左目前に配置されることとなる。
【００１６】
フレーム１３は、装着者２の左目に合わせた大きさの形状に形成されている。フレーム１３の枠外の上部には、撮像方向可変機構１８を介してデジタルカメラ１１が設けられている。また、フレーム１３の枠外には、装着者２の瞳を撮像して視線２ｂ（視線位置）の検出を行うための視線認識用カメラ１９が設けられている。また、フレーム１３の下部には、装着者２やその周囲の音声を集音するためのマイク１５が設けられている。フレーム１３の枠内には、例えばフレーム枠の形状に合わせて形成された板状の光透過性部材１６が保持されている。この光透過性部材１６は、ヘッドマウントディスプレイ１０を装着者２の頭部２ａに装着した場合であっても、装着者２の目から周辺環境を観察可能である。この光透過性部材１６は、例えば無色透明又は予め決められた色を有していてもよい。
【００１７】
光透過性部材１６内の一部分には、モニタ表示部１７が形成されている。このモニタ表示部１７は、例えばデジタルカメラ１１の撮像により取得される動画の画像データや各種情報等をリアルタイムにモニタ表示する。したがって、ヘッドマウントディスプレイ１０を装着した状態で装着者２の左目へのモニタ表示を行うことが可能である。なお、モニタ表示部１７は、光透過性の状態でモニタ表示する。しかるに、モニタ表示部１７は、リアルタイムにモニタ表示している状態でも周辺環境を観察可能とすることができる。例えば、ウエアラブル調理補助端末１では、調理人が調理をしている最中であっても、調理をしながらモニタ表示を確認することができる。
【００１８】
なお、本実施形態では、フレーム１３を装着者２の左目前に配置し、装着者２の左目へのモニタ表示を行う構成を例示した。しかしながら、装着者２へのモニタ表示は、右目又は両目に行うものであってよい。例えば、フレーム１３を装着者２の右目前に配置することで、装着者２の右目へのモニタ表示を行うことが可能である。
【００１９】
デジタルカメラ１１は、撮像動作を行って動画の画像データを出力する。このデジタルカメラ１１は、光透過性部材１６を通した装着者２の視線２ｂ方向に焦点が合うように撮像範囲を設定した状態でヘッドマウントディスプレイ１０のフレーム１３上に取り付けられている。撮像方向可変機構１８は、例えばデジタルカメラ１１を首振り可能に支持し、デジタルカメラ１１の撮像方向を任意の方向、ここでは上記の如くデジタルカメラ１１の撮像範囲を装着者２の視線２ｂ方向に焦点が合うように設定する。
【００２０】
インタフェースボックス１２は、送受信装置３４との間のデータの送受信を行うとともに、ヘッドマウントディスプレイ１０にかかる各種処理を行う。具体的には、インタフェースボックス１２は、制御部１２１、音声処理部１２２、送受信部１２３、情報表示部１２４、画像処理部１２５を備え、装着者２が携帯可能なボックスである。制御部１２１は、ＣＰＵ（Central Processing Unit）、ＲＡＭ（Random Access Memory）、ＲＯＭ、ＨＤＤ（Hard Disk Drive）等のストレージなどを有するコンピュータであり、ウエアラブル調理補助端末１の動作を制御する。ＲＯＭやストレージには、プログラムやそのプログラムを実行する際に参照される各種設定情報などが予め格納されている。例えば、注文品目に対応した調理法に関するデータなどが予め格納されている。ＣＰＵは、ＲＯＭやストレージに記憶されたプログラムをＲＡＭの作業領域に展開して順実行することで、ウエアラブル調理補助端末１の動作を中央制御する。なお、インタフェースボックス１２における画像処理部１２５、情報表示部１２４、送受信部１２３、音声処理部１２２などの各部が有する機能は、制御部１２１がＲＯＭやストレージに予め格納されたプログラムを実行することで実現してもよい。
【００２１】
音声処理部１２２は、マイク１５により入力された音声の認識などの処理を行う。具体的には、音声処理部１２２は、予め設定された辞書データに含まれる音声データと、マイク１５からの音声データとを照合して所定の音声コマンドを認識し、認識した音声コマンドを制御部１２１へ通知する。制御部１２１は、通知された音声コマンドに応じた処理を行う。これにより、ウエアラブル調理補助端末１は、装着者２が発声する音声コマンドによる操作が可能である。以後、上述した音声コマンドによるウエアラブル調理補助端末１の操作を音声操作と呼ぶ。ウエアラブル調理補助端末１は、装着者２の音声操作を受け付けることで、装着者２の手入力による手間を省くことができる、特に装着者２が調理中などの場合はこの音声操作が効果的である。なお、予め設定された辞書データは、一つの言語だけでなく、複数の言語に対応可能であってよい。この場合は、対応可能な言語分の音声コマンドを識別可能となる。また、予め設定された辞書データは仮名文字や所定の単語などの語句にかかる音声データを含み、音声処理部１２２は、辞書の音声データと、マイク１５からの音声データとを照合して所定の語句を認識してもよい。
【００２２】
情報表示部１２４は、制御部１２１などから入力された画像データをヘッドマウントディスプレイ１０のモニタ表示部１７へ表示する。また、情報表示部１２４は、制御部１２１の制御の下、情報ウインドウやアイコンなどの各種画像を、モニタ表示部１７の所定の座標へ表示する。
【００２３】
画像処理部１２５は、デジタルカメラ１１の撮像により取得された画像データの画像処理や、視線認識用カメラ１９で撮像された画像データを解析して装着者２の視線２ｂの検出を行う。具体的には、画像処理部１２５は、視線認識用カメラ１９で撮像された画像データから装着者２の瞳を検出し、その検出された瞳の位置に応じて視線２ｂの検出を行う。なお、視線２ｂの検出結果は情報表示部１２４へ出力される。情報表示部１２４は、画像処理部１２５から出力される視線２ｂの検出結果に対応するモニタ表示部１７の座標に注文表示ウインドウを表示する。
【００２４】
なお、ウエアラブル調理補助端末１における入力操作は、制御部１２１の制御の下、視線認識用カメラ１９の画像を元に画像処理部１２５により検出された視線２ｂに応じて行われてもよい。具体的には、情報表示部１２４がモニタ表示部１７に表示した操作入力用のアイコン画像を装着者２が見つめた際の視線２ｂを検出することで、ウエアラブル調理補助端末１における入力操作を行う。例えば、モニタ表示部１７の所定の座標に表示したアイコン画像と、視線２ｂの検出結果により注文表示ウインドウとが重複する場合に、そのアイコン画像に対応する入力操作を受け付ける。以後、上述した視線２ｂに応じたウエアラブル調理補助端末１の入力操作を視線操作と呼ぶ。ウエアラブル調理補助端末１は、装着者２の視線操作を受け付けることで、装着者２の手入力による手間を省くことができる、特に装着者２が調理中などの場合はこの視線操作が効果的である。
【００２５】
次に、本実施形態にかかる注文システムの動作について説明する。図３は、本実施形態にかかる注文システムの動作の一例を示すラダーチャートである。
【００２６】
図３に示すように、注文端末３５は、注文を受けた客卓、客数、注文品目、その注文数などの注文入力を受け付け（Ｓ１）、受け付けた注文を注文情報として注文管理サーバ３０へ通知する（Ｓ２）。
【００２７】
注文管理サーバ３０は、ウエアラブル調理補助端末１から通知された注文情報を登録し（Ｓ３）、登録された注文情報とその注文番号とをウエアラブル調理補助端末１に通知する（Ｓ４）。ウエアラブル調理補助端末１は、注文管理サーバ３０から通知された注文情報に含まれる注文品目の一覧をモニタ表示部１７に表示する（Ｓ５）。
【００２８】
図４は、モニタ表示部１７の表示例を示す図であり、より具体的には注文管理サーバ３０から通知された注文情報の表示例を示す図である。図４において、視線マーカーＧ１は、視線２ｂの検出結果に応じてモニタ表示部１７に表示されるマーカーである。注文表示ウインドウＧ２は、通知された注文情報を表示するための表示ウインドウである。
【００２９】
図４に示すように、Ｓ５では、注文管理サーバ３０から通知された注文情報が注文表示ウインドウＧ２に表示される。具体的には、注文表示ウインドウＧ２には、注文情報に含まれる各注文品目に対応する注文アイコンＧ２１〜Ｇ２３が表示される。これにより、調理人は、注文情報に含まれる各注文品目の調理を開始することができる。
【００３０】
図３に示すように、ウエアラブル調理補助端末１は、注文情報に含まれる各注文品目をモニタ表示部１７に表示している際に、調理法を表示すべき注文品目の選択を音声操作又は視線操作により受け付ける（Ｓ６）。具体的には、音声操作の場合は、音声入力から辞書データに該当する所定の単語を識別することで、調理法を表示すべき注文品目を特定する。例えば、「注文１」、「鳥サラダ」などの音声入力から、その音声内容に該当する、注文アイコンＧ２１にかかる注文品目を調理法を表示すべき注文品目とする。また、視線操作の場合は、装着者２が選択する注文アイコンを見つめて、視線マーカーＧ１がその注文アイコンに所定の時間重複することを検出した場合にその注文アイコンの選択を受け付けることで、調理法を表示すべき注文品目を特定する。例えば、視線マーカーＧ１が注文アイコンＧ２１に所定の時間重複することを検出した場合に、その注文アイコンＧ２１にかかる注文品目を、調理法を表示すべき注文品目とする。また、視線操作の場合は、注文品目ごとにレシピを表示させるためのレシピ表示用アイコン画像（図示しない）を装着者２が見つめることで、調理法を表示すべき注文品目を特定してもよい。
【００３１】
次いで、ウエアラブル調理補助端末１は、選択された注文品目の調理法を、ＲＯＭやストレージなどに記憶されたデータを参照してモニタ表示部１７に表示する（Ｓ７）。図５は、モニタ表示部１７の表示例を示す図であり、具体的には選択された注文品目（鳥サラダ）の調理法を表示した画面を示す図である。図５に示すように、Ｓ７では、選択された注文品目である鳥サラダの調理法が調理法表示ウインドウＧ３に表示される。
【００３２】
調理法表示ウインドウＧ３に表示される調理法では、より具体的な調理手順や調理時に注意すべき点などの調理法の詳細を示す調理情報へのリンク付けが行われている。調理情報の具体例としては、野菜などの切り方、調味料を加える順序、使用する調理器具の説明やその使用方法などがある。なお、以下の説明では上述した調理情報を手順とよぶ。
【００３３】
図５の例では、鳥サラダの調理法の中で、「ミニトマトは４等分に切る。」にリンクＧ３１が、「耐熱皿」にリンクＧ３２が設定されている。このリンク付けは、アンカータグなどにより、詳細な手順にかかるデータのリンク先を設定することで実現される。アンカータグは、リンクタグとも呼ばれ、リンク先となるファイルの格納位置を語句に設定する。詳細な手順にかかるデータは、例えば動画像、静止画像、テキストなどで手順が示されたファイルデータであり、調理法に関するデータとしてＲＯＭやストレージなどに予め記憶されている。なお、詳細な手順については、動画像、静止画像及びテキストの中の少なくとも１つで示されていればよく、動画像とテキスト、静止画像とテキストなどの組み合わせで示されていてもよい。
【００３４】
Ｓ７において、選択された注文品目の調理法が表示されている際に、リンクＧ３１、Ｇ３２などの選択を音声操作又は視線操作により受け付けた場合は、リンク先の詳細な手順にかかるデータを読み出してモニタ表示部１７に表示する。具体的には、音声操作の場合、調理法のテキストデータと、そのテキストに含まれる語句の中でリンクが設定された語句にかかるデータとがＲＯＭやストレージに予め格納されており、音声により認識された語句が表示された調理法の中でリンク付けされた手順を示す場合に、その手順の選択指示を受け付ける。より具体的には、音声入力から辞書データに該当する所定の単語を識別することで、音声により選択されたリンクＧ３１、Ｇ３２を特定する。例えば、リンクが設定された「ミニトマトは４等分に切る」又はその一部の「４等分に切る」などの音声入力から、その音声内容に該当する、リンクＧ３１の選択を受け付ける。
【００３５】
また、視線操作の場合は、調理法のテキストデータと、そのテキストに含まれる語句の中でリンクが設定された語句にかかるデータとがＲＯＭやストレージに予め格納されており、検出された視線位置が、リンクが設定された語句の表示位置と重複し、表示された調理法の中でリンク付けされた手順を示す場合に、その手順の選択指示を受け付ける。より具体的には、装着者２が選択するリンクを見つめて、視線マーカーＧ１がそのリンクに所定の時間重複することを検出した場合にそのリンクの選択を受け付けることで、視線により選択されたリンクＧ３１、Ｇ３２を特定する。例えば、視線マーカーＧ１がリンクＧ３１に所定の時間重複することを検出した場合に、リンクＧ３１の選択を受け付ける。
【００３６】
図６、７は、モニタ表示部１７の表示例を示す図である。具体的には、図６はリンクＧ３１にリンク付けされた動画像の表示例を示す図であり、図７はリンクＧ３２にリンク付けされた静止画像の表示例を示す図である。
【００３７】
図６に示すように、リンクＧ３１が選択された場合は、リンクＧ３１にリンク付けされた「ミニトマトは４等分に切る」のファイルデータが読み出され、詳細表示ウインドウＧ４に読み出された動画像が表示される。また、図７に示すように、リンクＧ３２が選択された場合は、リンクＧ３２にリンク付けされた「耐熱皿」のファイルデータが読み出され、詳細表示ウインドウＧ４に読み出された静止画像が表示される。
【００３８】
詳細表示ウインドウＧ４は、リンクＧ３１、Ｇ３２などの選択によりポップアップ表示されるウインドウである。この詳細表示ウインドウＧ４は、図６、７に示すように調理法表示ウインドウＧ３から切り替えてモニタ表示部１７に表示するウインドウであってもよいが、調理法表示ウインドウＧ３に重ねて表示するウインドウであってもよい。また、詳細表示ウインドウＧ４は、動画像の再生終了時や静止画像などを所定時間表示した後に消去されてもよいし、音声操作又は視線操作に応じて消去されてもよい。具体的には、音声操作の場合は、「詳細表示ウインドウの消去」又はその一部の「ウインドウ消去」などの音声入力から、その音声内容に該当する音声操作を受け付けて詳細表示ウインドウＧ４のポップアップ表示を消去する。また、視線操作の場合は、装着者２が選択する終了アイコンＧ４１を見つめて、視線マーカーＧ１がその終了アイコンＧ４１に所定の時間重複することを検出した場合に、詳細表示ウインドウＧ４のポップアップ表示を消去する。
【００３９】
したがって、ウエアラブル調理補助端末１を使用する調理人は、調理法の中でリンク付けされた詳細な手順を選択することで、その詳細な手順の動画像、静止画像、テキストなどを確認することができる。例えば、ベテランの調理人は注文品目の調理法を確認するだけでよく、習熟度が低い調理人はリンク付けされた詳細な手順を確認するなど、ウエアラブル調理補助端末１では習熟度が異なる調理人に対して分かり易く注文品目の調理法を表示することが可能となる。
【００４０】
次に、ウエアラブル調理補助端末１が制御部１２１の制御の下で行う処理の詳細について、図８を参照して説明する。図８は、本実施形態にかかるウエアラブル調理補助端末１の処理を示すフローチャートであり、より具体的にはＳ７における処理の詳細を示すフローチャートである。
【００４１】
図８に示すように、処理が開始されると、制御部１２１は、Ｓ６で選択された料理品目の調理法を、ＲＯＭやストレージなどに予め格納された調理法に関するデータを読み出してモニタ表示部１７に表示する（Ｓ１０１）。
【００４２】
次いで、制御部１２１は、前述した音声操作又は視線操作による、モニタ表示部１７に表示した調理法に含まれるリンクの選択の有無を判定し、手順の詳細の確認指示があったか否かを判定する（Ｓ１０２）。手順の詳細の確認指示があった場合（Ｓ１０２：ＹＥＳ）、制御部１２１は、音声操作又は視線操作により選択があったリンクにリンク付けされた詳細な手順にかかるファイルデータを読み出し（Ｓ１０３）、読み出した手順を詳細表示ウインドウＧ４へ表示し（Ｓ１０４）、Ｓ１０５へ処理を進める。手順の詳細の確認指示が無かった場合（Ｓ１０２：ＮＯ）、制御部１２１は、Ｓ１０３、Ｓ１０４を行うことなく、Ｓ１０５へ処理を進める。なお、Ｓ１０４において表示した詳細表示ウインドウＧ４は、前述したとおり、動画像の再生終了時、静止画像などを所定時間表示した後、又は音声操作又は視線操作に応じて消去される。
【００４３】
Ｓ１０５において、制御部１２１は、音声操作又は視線操作により、調理法の表示を終了する指示があったか否かを判定する。表示を終了する指示があった場合（Ｓ１０５：ＹＥＳ）は、調理法表示ウインドウＧ３、詳細表示ウインドウＧ４を消去して調理法の表示を終了させ、注文表示ウインドウＧ２による注文表示に戻す（Ｓ１０６）。表示を終了する指示がない場合（Ｓ１０５：ＮＯ）は、調理法表示ウインドウＧ３、詳細表示ウインドウＧ４の表示を継続してＳ１０２へ処理を戻す。
【００４４】
具体的には、音声操作の場合は、「表示終了」などの表示を終了させるための音声コマンドの有無を判定して、その音声コマンドがあった場合は調理法の表示を終了させる。また、視線操作の場合は、調理法表示ウインドウＧ３、詳細表示ウインドウＧ４と視線２ｂを示す視線マーカーＧ１とが、所定の時間重複していない場合に、調理法の表示を終了させる。よって、視線操作の場合は、視線２ｂが調理法表示ウインドウＧ３、詳細表示ウインドウＧ４に表示された調理法から別の対象に移ったことを検出して、調理法の表示を終了させることができる。
【００４５】
なお、本実施形態では、装着者２に装着して使用するウエアラブル調理補助端末１を例示した。しかしながら、調理補助端末における表示や操作構成は据え置き型であってよい。すなわち、調理補助端末は、所定の位置に設置されたＬＣＤ（Liquid Crystal Display）等のディスプレイやタッチパネルや操作キー等の操作入力部を備えたものであってもよい。例えば、モニタ表示は、ヘッドマウントディスプレイ１０ではなく、所定の位置に設置されたディスプレイに表示してもよい。また、使用者の操作入力についても、音声操作又は視線操作ではなく、タッチパネルや操作キーで行ってもよい。より具体的には、（ア）ウエアラブル調理補助端末１において、ヘッドマウントディスプレイ１０のモニタ表示部１７とは別に据え置き型のディスプレイを用いる場合と、（イ）ウエアラブル調理補助端末１を据え置き型とする場合とがある。（ア）では、注文表示ウインドウＧ２が据え置き型のディスプレイに表示され、音声操作を受け付ける。（イ）では、注文表示ウインドウＧ２が据え置き型のディスプレイ（タッチパネル）に表示され、そのディスプレイのタッチ操作を受け付ける。
【００４６】
また、調理法に関するデータなどの各種情報は、ＲＯＭやストレージなどに予め記憶される構成だけでなく、注文管理サーバ３０などの上位装置に予め記憶されてもよい。この場合は、各種情報は制御部１２１の制御の下、送受信部１２３により上位装置から取得されることとなり、各種情報を格納するための大容量のストレージをウエアラブル調理補助端末１に設ける必要がない。
【００４７】
また、本実施形態の制御部１２１や注文管理サーバ３０のＣＰＵが実行するプログラムは、ＲＯＭ等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００４８】
また、上記プログラムを、インターネット等のネットワークに接続されたコンピュータ上に格納し、ネットワーク経由でダウンロードさせることにより提供するように構成しても良い。また、上記プログラムをインターネット等のネットワーク経由で提供または配布するように構成しても良い。
【００４９】
また、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００５０】
１  ウエアラブル調理補助端末
２  装着者
２ａ  頭部
２ｂ  視線
１０  ヘッドマウントディスプレイ
１２  インタフェースボックス
１３  フレーム
１４  装着用アーム
１５  マイク
１６  光透過性部材
１７  モニタ表示部
１９  視線認識用カメラ
３０  注文管理サーバ
３４  送受信装置
３５  注文端末
１２１  制御部
１２２  音声処理部
１２３  送受信部
１２４  情報表示部
１２５  画像処理部
Ｇ１  視線マーカー
Ｇ２  注文表示ウインドウ
Ｇ３  調理法表示ウインドウ
Ｇ４  詳細表示ウインドウ
Ｇ２１〜Ｇ２３  注文アイコン
Ｇ３１、Ｇ３２  リンク
Ｇ４１  終了アイコン
ＮＴ  ネットワーク
【先行技術文献】
【特許文献】
【００５１】
【特許文献１】特開２００１−７６０４８公報
【図１】
2011081737.tif 000003
【図２】
2011081737.tif 000004
【図３】
2011081737.tif 000005
【図４】
2011081737.tif 000006
【図５】
2011081737.tif 000007
【図６】
2011081737.tif 000008
【図７】
2011081737.tif 000009
【図８】
2011081737.tif 000010